(57)【要約】  シャーシ及び吸収性アセンブリを含む使い捨ておむつ。シャーシは、シャーシの横方向内側に折り畳まれた部分により形成された横方向に対向するサイドフラップ、及びシャーシの他の横方向内側に折り畳まれた部分により形成された展開可能なシャーシ耳部を包含する。各シャーシ耳部は、取り外され、かつ隣接したサイドフラップを越えて横方向外側に突き出すように横方向外側に広げられるまで、横方向内側に折り畳まれて保持されている。弾性的に伸張可能な伸縮性ウエストバンドは、横方向に対向するシャーシ耳部の部分を覆い、これらの間のウエスト領域を横方向に横切って延びる。
2010521248.tif 000002
【特許請求の範囲】
【請求項１】
使い捨ておむつ（２０）であって、
前側ウエスト領域（３６）、後側ウエスト領域（３８）、前記ウエスト領域間の股領域（３７）、幅を画定し横方向に対向する側縁部（１３７）、長さを画定し長手方向に対向する前側ウエスト端縁部（１３６）及び後側ウエスト端縁部（１３８）、内面（１０２）、及び外面（１０４）を有する、シャーシ（１００）と、
前記シャーシの前記内面に取り付けられる吸収性アセンブリ（２００）であって、前記シャーシの前記側縁部及び前記端縁部のそれぞれに対して近接して配置される側縁部（２３７）及び端縁部（２３６、２３８）を有する、吸収性アセンブリ（２００）と、を備え、
前記シャーシは、不浸水性バックシート（２６）、及び少なくとも前記股領域において、前記シャーシの横方向内側に折り畳まれる部分によって形成される横方向に対向するサイドフラップ（１４７）を含み、各サイドフラップは、その長手方向遠位端に隣接する前記内面に取り付けられ、かつ、その近位端（１５７）に隣接して取り付けられる長手方向に延びる弾性ギャザー部材（１６７）を有し、
前記シャーシはまた、前記ウエスト領域の少なくとも１つにおいて前記シャーシの横方向内側に折り畳まれた部分によって形成される、少なくとも１対の横方向に対向する展開可能なシャーシ耳部（１０８）を含み、各シャーシ耳部は、前記それぞれのサイドフラップを越えて横方向外側に突き出るように横方向外側に広げて展開されるまで、横方向内側に折り畳まれて保持され、
前記ウエスト領域の少なくとも１つにおいて前記シャーシに取り付けられた少なくとも１つの伸縮性ウエストバンド（３７０、３９０）であって、前記シャーシ耳部の各対の少なくとも一部を覆い、これらの間で横方向に連続的に延び、前記ウエスト領域のそれぞれが横方向に拡張された場合に収縮力を提供する、伸縮性ウエストバンドを含む、使い捨ておむつ。
【請求項２】
各シャーシ耳部が、取り付けの脆弱線（９１）で取り外されて横方向外側に広げられるまで、前記脆弱線で横方向内側に折り畳まれて保持される、請求項１に記載の使い捨ておむつ。
【請求項３】
各耳部が、解放可能な取り付け部材（９４）で解放され横方向外側に広げられるまで、前記解放可能な取り付け部材によって横方向内側に折り畳まれて保持される、請求項１に記載の使い捨ておむつ。
【請求項４】
前記解放可能な取り付け部材が、前記シャーシ耳部上に及び前記横方向内側に折り畳まれたシャーシ耳部の下にある前記内面上にそれぞれ配置された解放可能な補完的取り付け要素（９５、９６）を含む、請求項３に記載の使い捨ておむつ。
【請求項５】
２つの前記伸縮性ウエストバンドを含む、請求項１〜４のいずれか一項に記載の使い捨ておむつ。
【請求項６】
前記２つの伸縮性ウエストバンドの一方が前記後側ウエスト領域に配置され、前記２つの伸縮性ウエストバンドの他方が前記前側ウエスト領域に配置される、請求項５に記載の使い捨ておむつ。
【請求項７】
前記２つの伸縮性ウエストバンドの一方が内側に配置され、前記２つの伸縮性ウエストバンドの他方が外側に配置される、請求項５に記載の使い捨ておむつ。
【請求項８】
前記２つの伸縮性ウエストバンドが、一方の同じ前記ウエスト領域に配置される、請求項５に記載の使い捨ておむつ。
【請求項９】
前記伸縮性ウエストバンドが、内側層（８２）、外側被覆層（８４）、及び前記内側層と前記外側被覆層とに挟持される弾性層（８３）を含有する三重積層体を含む、請求項１〜８のいずれか一項に記載の使い捨ておむつ。
【請求項１０】
前記三重積層体が、前記内側層の破裂部分（８５ａ）及び前記外側被覆層の破裂部分（８５ｃ）が伸長に対する抵抗を実質的に示さず、かつ、前記弾性層が前記収縮力を提供する、活性化部分（８５）を含む、請求項９に記載の使い捨ておむつ。
【発明の詳細な説明】
【技術分野】
【０００１】
本発明は、失禁症者の使用を目的とする使い捨ておむつ及びその他の物品などの使い捨て吸収性物品に関する。
【背景技術】
【０００２】
使い捨て吸収性物品は、着用者の身体及び衣類、並びに寝具、又は着用者が接触するその他のものを汚すのを防ぐために、体外排泄物を吸収し、収容するように設計される。
【発明の概要】
【発明が解決しようとする課題】
【０００３】
使い捨て吸収性物品の使用法が拡大するにつれて、その性能及び外観を向上させる働きをする追加機能の導入に伴う複雑さが増した。複雑さが増すと共に、材料のコスト及び製造プロセスのコストも高まった。結果として、これらの物品の販売価格は、世界中の多くの潜在的購入者が支払う余裕のないレベルまで上昇した。したがって、シンプルな使い捨て吸収性物品の必要性がある。
【課題を解決するための手段】
【０００４】
使い捨ておむつは、シャーシ及び吸収性アセンブリを含む。シャーシは、シャーシの横方向内側に折り畳まれた部分により形成された横方向に対向するサイドフラップ、及びシャーシの他の横方向内側に折り畳まれた部分により形成された展開可能なシャーシ耳部を包含する。各シャーシ耳部は、解放され、かつ隣接したサイドフラップを越えて横方向外側に突き出すように横方向外側に広げられることにより展開されるまで、横方向内側に折り畳まれて保持されている。締結要素は、シャーシ耳部のうち少なくとも２つの上に配置されてもよく、締結要素は、着用者のウエスト及び脚を取り囲むように前側ウエスト領域を後側ウエスト領域に締結するように適合されている。弾性的に伸張可能な伸縮性ウエストバンドが、横方向に対向するシャーシ耳部の部分を覆い、これらの間のウエスト領域を横方向に横断して延びる。吸収性アセンブリは、吸収性アセンブリの下にあり、かつ十字形取り付けパターンの外側に位置するシャーシの部分が横方向に伸びることができるように、十字形パターンでシャーシに取り付けられてもよい。
【図面の簡単な説明】
【０００５】
添付図面の中で、同じ参照番号は構造的に対応する要素を同定し、これは図示される幾つかの代表的な実施形態において同一であっても、又は同一でなくてもよい。一部の図は、他の要素をより明らかに示すため、選択された要素を省略することで簡略化されている場合がある。一部の図中のこうした要素の省略は、対応する説明文中で明確に記載されている場合を除き、いずれかの代表的な実施形態の中の特定要素の有無を必ずしも示すものではない。
【０００６】
図面及び書面による説明において、参照番号に付した小文字はほぼ対称となる要素を示し、例えば、左及び右の対称的な要素はそれぞれ、参照番号１ａ及び１ｂにより識別される場合がある。添付の小文字のない参照番号は、特定の参照番号が適用される要素のすべてを識別し、例えばグループとして同じ要素は１と表記されてもよい。
【図１】おむつ２０の形態をとった代表的な使い捨て吸収性物品の平面図であり、その平坦な非収縮状態、即ち、弾性部材によって生じる収縮のない状態で示されている。この図では、着用者に向かって内側に面し及び着用者に接するおむつ２０の内部が見る人に面して示されている。
【図２】着用者に向かって内側に面するおむつ２０の内部が見る人に面して示されている、別の代表的なおむつ２０の平面図。
【図３】切断線３−３で切った、図１及び図２のおむつ２０の断面図。
【図４】切断線４−４で切った、図１及び図２のおむつ２０の断面図。
【図５】２つのシャーシ耳部が横方向に延びる代表的なおむつ２０の平面図。この図では、おむつ２０の内部が見る人に面して示されている。
【図６】図５のおむつ２０の平面図であり、おむつ２０の外部が見る人に面して示されている。
【図７】切断線７−７で切った、図５及び図６のおむつ２０の断面図。
【図８】切断線８−８で切った、図５及び図６のおむつ２０の断面図。
【図９】切断線９−９で切った、図５及び図６のおむつ２０の断面図。
【図１０】代表的なおむつ２０の斜視図であり、その弛緩した、収縮状態、即ち、弾性部材によって生じた収縮のある状態で示されている。この図では、おむつ２０の内部が上に面して示されている。
【図１１】締結具の別の形態を示す別の代表的なおむつ２０の平面図。
【図１２】図１１のおむつ２０の平面図であり、おむつ２０の外部が見る人に面して示されている。
【図１３】切断線１３−１３で切った、図１１及び図１２のおむつ２０の断面図。
【図１４】切断線１４−１４で切った、図１１及び図１２のおむつ２０の断面図。
【図１５】１３−１３に類似した切断線で切った別の代表的なおむつ２０の断面図であり、締結具の別の形態を示している。
【図１６】切断線１６−１６で切った、図１１及び図１２のおむつ２０の断面図。
【図１７】形成ウェブ材料の代表的な断片の平面図。
【図１８】代表的なおむつ２０の簡易化平面図であり、これはその平坦な非収縮状態、即ち、弾性部材によって生じた収縮のない状態で、十字形取り付けパターンでシャーシに取り付けられた吸収性アセンブリを有して示されている。この図では、おむつ２０の外部が見る人に面して示されている。
【図１９】代表的な吸収性アセンブリ２００の平面図。この図では、吸収性アセンブリ２００が、代表的なおむつ２０においてそれが取り付けられているシャーシ１００から切り離して示されており、着用者に向かって内側に面し、かつ着用者に接する吸収性アセンブリ２００の内部が見る人に面して示されている。
【図２０】切断線２０−２０で切った、図１９の吸収性アセンブリ２００の断面図。
【図２１】切断線２１−２１で切った、図１９の吸収性アセンブリ２００の断面図。
【図２２】２０−２０に類似した切断線で切った、別の代表的な吸収性アセンブリ２００の断面図。
【図２３】代表的な吸収性コア２５０の断面図。
【図２４】横方向に延びる４つのシャーシ耳部を有する別の代表的なおむつ２０の平面図。この図では、おむつ２０の内部が見る人に面して示されている。
【図２５】積層伸縮性ウエストバンドの断面図。
【図２６】伸びた状態の、図２５の積層伸縮性ウエストバンドの図。
【発明を実施するための形態】
【０００７】
本明細書において、次の用語は、次の意味を有する。
【０００８】
用語「吸収性物品」は、液体を吸収し、収容する装置を指し、より具体的には、着用者の身体に接して、又は近接して設置され、身体から排泄された様々な排出物を吸収し、収容する装置を指す。
【０００９】
用語「おむつ」は、一般に乳幼児及び失禁症者によって着用者のウエスト及び脚を取り囲むようにほぼ胴体下部の周りに着用される吸収性物品、並びに特に尿及び糞便排泄物を受容及び収容するようになされている吸収性物品を指す。
【００１０】
用語「使い捨て」は、洗濯する、あるいは吸収性物品として復元するか再利用されることを一般に意図しない吸収性物品、即ち、一回の使用後に廃棄する、好ましくはリサイクルする、堆肥化する、あるいは環境に適合する方法で処理することを意図する吸収性物品の性質を指す。この記載では、使い捨ておむつは、代表的な使い捨て吸収性物品の典型的なものとして記載される。
【００１１】
すべてのその形態において、用語「展開」は、いずれかの開示される展開可能な構造要素の、それが提供される物品におけるその初期構成から、その使用目的のために使用され得る構成への操作を指す。
【００１２】
用語「長手方向」は、物品の腰縁部から対向する腰部縁まで走り、かつ物品の最長直線の長さに対してほぼ平行な方向を指す。
【００１３】
用語「横方向」は、物品の側縁から対向する側縁まで走り、かつ長手方向に対してほぼ直角である方向を指す。
【００１４】
用語「周辺の」とは、着用者のウエストの一部、又は全部を取り囲む、横方向とほぼ平行な方向を指す。この用語は、ウエスト開口部のマージンの周囲に延び、これを形成する要素を記述する際に、特に使用される。
【００１５】
用語「配置された」は、ある要素が特定の場所又は位置に取り付けられ配置されて、他の要素を有する単一構造になっていることを指す。
【００１６】
用語「取り付ける」は、要素を互いに及びその構成材料に取り付けるのに適したいずれかの方法による締結、接着、結合などによって、要素が連結又は合体されることを指す。接着剤結合、圧力接着、熱接着、機械的締着など、要素を互いに取り付けるための多くの好適な方法が周知である。そのような取り付け方法を使用して、要素を、特定の区域全体にわたって連続的に又は断続的に互いに取り付けてもよい。特に指示されない限り、互いに取り付けられているものとして記載される要素は、何も使用せず、又は結合材料、例えばこれらの間の接着剤によって、互いに直接取り付けられる。特に指示されない限り、互いに取り付けられているものとして記載される要素は、互いに恒久的に取り付けられる、即ち、要素の一方又は両方、及び／あるいは存在する任意の結合材料が、これらを分離するために破損しなくてはならないような方法で取り付けられる。この恒久的な取り付けは、外され得る締結具の手段などにより、一時的な取り付けを排除する。
【００１７】
用語「積層体」は、層状の構成で互いに取り付けられる要素を指す。
【００１８】
用語「貼着性」は、一旦硬化すると、それ自体に膠着するが、他の材料には有意な程度に膠着しない材料の特性を指す。
【００１９】
用語「透水性」「不透水性」は、使い捨て吸収性物品の意図された使用法に関連した材料の浸透性を指す。具体的には、用語「透水性」は、強制圧力がなくても液体水がその厚みを通り抜けられるようにする孔、開口部、及び／又は互いに結合された空隙を有する層若しくは層状構造を指す。それとは逆に、用語「不透水性」は、強制圧力がない場合、液体水がその厚みを通り抜けることができない層又は層状構造を指す。この定義による不透水性の層又は層状構造は、水蒸気に対して透過性であってもよく、即ち、「水蒸気透過性」であってもよい。そのような水蒸気透過性の層又は層状構造は、一般に、当該技術分野において「通気性」として既知である。当該技術分野において周知であるように、吸収性物品において典型的に使用される材料の水に対する透過性を測定するための一般的な方法は、静水圧試験であり、この静水圧試験はまた、静水頭試験（hydrostatic head test）又は単に「水頭（hydrohead）」試験とも呼ばれる。水頭試験（hydrohead）のための好適な周知の簡潔な方法が、ＩＮＤＡ（元国際不織布及び使い捨て用品協会（International Nonwovens and Disposables Association）、現在の不織布工業協会（Association of the Nonwoven Fabrics Industry））及びＥＤＡＮＡ（欧州使い捨て用品及び不織布協会（European Disposables And Nonwovens Association））によって承認されている。
【００２０】
用語「近位」及び「遠位」は、それぞれ、構造の中心に相対的に近い要素又はそれから遠い要素の位置を指し、例えば、長手方向に延びる要素の横方向近位縁は、同じ要素の横方向遠位縁が同じ長手方向軸に関して位置するよりも、長手方向軸線の近くに位置する。軸に対する相対的な位置を記載するために使用されるとき、類義語にはそれぞれ「中央寄り」及び「外側寄り」が挙げられる。
【００２１】
用語「内部」及び「外部」はそれぞれ、吸収性物品が着用されたとき、着用者の身体に接して又はそれに向かって配置されることを意図する要素の位置、並びに吸収性物品の上に着用されるいずれかの衣服に接して又はそれに向かって配置されることを意図する要素の位置を指す。「内部」及び「外部」の類義語としては、それぞれ、「内方」及び「外方」、並びに「内側」及び「外側」が挙げられる。また、吸収性物品が、その内部が上方に面するように配向される場合、例えば、吸収性物品の上部に着用者を配置するように吸収性物品が設置される場合、類義語には、それぞれ「上側」及び「下側」、「上部」及び「下部」、「上方」及び「下方」、並びに「頂部」及び「底部」が挙げられる。
【００２２】
用語「不織布」は、機械的、熱的、又は化学的手段によって繊維を結合するか又は絡み合わせることによって作製される、一方向に又は無作為に配向された繊維のシート、ウェブ、又は芯を指す。不織布材料は、紙、及び織り製品、編み製品、タフテッド製品、又は湿式粉砕によるフェルト製品を除く。繊維は、好ましくは人工合成繊維であるが、必須ではない。
【００２３】
用語「伸縮性ウエストバンド」は、おむつのウエスト開口部が周囲方向に拡張したとき、即ち、おむつのウエスト領域が横方向に拡大したときに、おむつのウエスト開口部周囲に収縮力を提供することにより、伸長に抵抗する構造的な構成要素を指す。
【００２４】
図に見られるように、代表的なおむつ２０の１つの末端部分は前側ウエスト領域３６として構成され、長手方向に対向する末端部分は後側ウエスト領域３８として構成され、及び中間部分は股領域３７として構成されている。
【００２５】
おむつ２０の基礎的構造はシャーシ１００を包含し、それは、横方向に延びる前縁部１３６、長手方向に対向する後縁部１３８、横方向に対向する側縁部１３７、内面１０２、及び外面１０４を有する。長手方向軸４２は前縁部１３６及び後縁部１３８の中点を通って伸び、横方向軸４４は、側縁部１３７の中点を通って伸びる。図１に示される代表的なシャーシ１００は、追加的に、長手方向に延び、かつ横方向に対向するサイドフラップ１４７、並びに横方向に対向するシャーシ耳部１０６及び／又は１０８を有し、それらは以下に、より詳細に説明される。
【００２６】
おむつ２０の基本構造体はまた、シャーシ１００に取り付けられた吸収性アセンブリ２００も包含する。吸収性アセンブリ２００は、液状体外排泄物物質を吸収し、保持する。吸収性アセンブリ２００は、横方向に延びる前縁部２３６、長手方向に対向する後縁部２３８、横方向に対向する側縁部２３７、内面２０２、及び外面２０４を有する。吸収性アセンブリ２００は、長手方向軸４２及び横方向軸４４のいずれか又は両方に対して対称的に又は非対称的に、のいずれかにより配置されてもよい。例えば、図１に示される吸収性アセンブリ２００は、長手方向軸４２に対して対称的に配置され、及び横方向軸４４に対して前側ウエスト領域３６に向かって非対称的にオフセットされて配置される。
【００２７】
吸収性アセンブリ２００の縁部は、図１に示される代表的なおむつ２０のようにシャーシ１００のそれぞれの縁部の内側に位置してもよい。例えば、シャーシの縁部に隣接した相対的により可撓性の１つの層又は複数の層を着用者の身体にぴったり合わせ、それによって相対的により厚く、かつ相対的に可撓性でない吸収性アセンブリによって妨げられることなく、着用者の皮膚に対して有効なガスケット様の封止を形成するために、吸収性アセンブリ２００の縁部の１つ以上が、シャーシ１００の対応する縁部の内側に位置するような構成が望ましい場合がある。あるいは、吸収性アセンブリ２００の縁部の１つ以上は、シャーシ１００の対応する１つの縁部又は複数の縁部と一致してもよい。
【００２８】
おむつ２０を着用者の胴体下部に着用するとき、前側腰縁部１３６及び後側腰縁部１３８は着用者のウエストを取り囲み、一方で同時にシャーシ側縁部１３７は着用者の脚を取り囲み、股領域３７は着用者の脚の間にほぼ位置付けられ、そして吸収性アセンブリ２００は前側ウエスト領域３６から股領域３７を通って後側ウエスト領域３８まで伸びる。
【００２９】
おむつ２０の基本構造はまた、ウエスト領域のシャーシ１００に取り付けられる、少なくとも１つの伸縮性ウエストバンドも含む。シャーシ１００が周囲方向に伸ばされた場合、伸縮性ウエストバンドは、おむつ２０のウエスト開口部周囲に収縮力を提供することによって抵抗する。例えば、図１では、内側後部伸縮性ウエストバンド３９０が、おむつ２０の後部ウエスト領域３８の、シャーシ１００に内側で取り付けられて、示される。この後部伸縮性ウエストバンド３９０は、横方向に伸張する長手方向末端縁３９１、及び長手方向に対向する横方向に延びる近位端３９２を有する。
【００３０】
シャーシ１００は、不透水性バックシート２６を包含する。バックシート２６は、おむつ２０の上に着用されるいずれかの衣類に向いて設置されることを意図する外面を形成する。バックシート２６として使用するのに好適な多くの材料が周知であり、ポリエチレン及び他のポリオレフィンのフィルムが挙げられる。フィルムと不織布の積層体など、多層のバックシートもまた周知であり、バックシート２６として使用するのに好適である場合がある。こうした積層体のバックシートは、フィルム３０を最外層として使用することにより提供されるものより布様の最外層の感触及び外観を提供するために、図１６に示されるように、外部に配置された不織布３１と共に配向されてもよい。
【００３１】
シャーシ１００は、更に、バックシート２６に取り付けられた内部ライナー２２を包含してもよいが、必ずしも包含しなくてもよい。こうした内部ライナー２２は、好ましくは、着用者の皮膚を刺激しない柔軟な材料から形成される。レーヨン、並びにスパンボンドされた若しくは毛羽立てられたポリプロピレン、ポリエチレン、又はポリエステルなどの合成不織布など、内側ライナー２２に適した多くの材料が当該技術分野において周知である。内部ライナー２２は、吸収性アセンブリ２００の縁部２３６及び縁部２３８の間の、各前部横方向中央部分１１７及び後部横方向中央部分１１８などの、シャーシ１００の内側表面１０２の一部を、並びにシャーシ１００の腰縁部１３６及び腰縁部１３８を形成してもよく、これによって、例えば、おむつ２０が、皮膚及びバックシートフィルムの間の接触が不快であるような状態で着用された場合に、着用者の皮膚を、バックシート２６の一部から、望ましくあり得るように、隔てるために役立つ。
【００３２】
図に示されるように、代表的なシャーシ１００は、着用者に対して内側に面し、かつ着用者に接触するおむつ２０の内部上に配置された、長手方向に延び、かつ横方向に対向するサイドフラップ１４７を有する。図に示されるように、サイドフラップ１４７は、シャーシ１００の部分を横方向内側に、即ち、長手方向軸４２に向かって折り畳むことにより形成され、それぞれサイドフラップ１４７及びシャーシ１００の側縁部１３７の両方を形成する。各サイドフラップ１４７は近位縁１５７を有する。
【００３３】
図１に示される代表的なおむつ２０では、サイドフラップ１４７は、吸収性アセンブリ２００と重なり合う、すなわち、これら近位縁部１５７は、吸収性アセンブリ２００の各側縁部２３７の横方向内側にある。このような重なり合った形体は、重なり合わない形体で付与される外観よりも完成品に近い外観をおむつ２０に付与するために望ましいことがある。あるいは、サイドフラップ１４７は、吸収性アセンブリ２００と重なり合わなくてもよい。
【００３４】
各サイドフラップ１４７は、図９に詳細に示されるように、前側ウエスト領域３６の取り付けゾーン１５３で、かつ後側ウエスト領域３８の長手方向に対向する取り付けゾーン１５４で、シャーシ１００の内面１０２に取り付けられる。吸収性アセンブリ２００の前側縁部２３６又は後側縁部２３８が、シャーシ１００の前側腰縁部１３６又は後側腰部縁部１３８のそれぞれと一致し、かつサイドフラップ１４７が吸収性アセンブリ２００の上に重なる実施形態では、サイドフラップ１４７は、シャーシ１００の内面１０２に取り付ける代わりに、又はそれに加えて、吸収性アセンブリ２００に取り付けられてもよい。
【００３５】
これらの取り付けゾーンの間では、各サイドフラップ１４７の近位縁１５７は固定されないままであり、即ち、シャーシ１００の内面１０２に、又は吸収アセンブリ２００に取り付けられていない。また取り付けゾーンの間では、弾性ストランド１６７が、各サイドフラップ１４７の近位縁１５７に隣接して取り付けられる。弾性ストランド１６７は、各サイドフラップ１４７の近位縁１５７に隣接して形成されたヘム１７０の内側に入れられる。伸ばされたとき、弾性ストランド１６７は、隣接したサイドフラップ縁部がシャーシの平らな収縮していない長さまで伸びるのを可能にする。弛緩することができるとき、図８及び図１０に示されるように、弾性ストランド１６７は収縮し、かつ近位縁１５７にギャザーを寄せ、それによってサイドフラップ１４７を吸収アセンブリ２００の側縁部２３７に隣接したサイドバリアとして機能する位置に持ち上げる。
【００３６】
別の弾性ストランド１６８は、図５及び図８に示されるように、サイドフラップ１４７を形成するためにシャーシ１００が折り畳まれる場所に取り付けられてもよい。弛緩することができるとき、この弾性ストランド１６８は、シャーシ１００の側縁部１３７にギャザーを寄せ、側縁部１３７で、又はこれに近接して側部バリアを形成する。
【００３７】
完成したおむつでは、シャーシがまっすぐではなく、代わりに切れ込みが入った側縁部１３７を有し、それによって「Ｔ」又は「Ｉ」字形の平面図の全体的な形状をおむつ２０に与えることが好ましい。こうした矩形でない構成は、おむつ２０に、それが着用されたときに、ぴったり合った外観を付与する場合があり、またおむつ２０は着用者の脚の間に快適に適合する印象を付与する場合がある。
【００３８】
シャーシの代表的な矩形でない構成が図５及び図６に示されている。これらの図に示されるように、後側ウエスト領域１３８の中のシャーシ１００の横方向に対向する部分１０８は横方向外側に伸びてもよく、一方隣接したサイドフラップ１４７は横方向内側に折り畳まれたまま残る。横方向外側に伸びる部分は、おむつに「Ｔ」字形を付与する、一対の後側シャーシ「耳部」１０８を形成する。あるいは、前側ウエスト領域１３６において、シャーシ１００の横方向に対向する部分は、横方向外側に延びて前側シャーシ耳部の一部を形成してもよく、それによって「Ｔ」字形をおむつに付与してもよい。もう１つの別の方法として、隣接したサイドフラップ１４７が横方向内側に折り畳まれたまま残る一方で、前側部分及び後側部分の両方が、１対の前側シャーシ耳部１０６、及び１対の後側シャーシ耳部１０８の両方を形成してもよく、この構成の中では図２４に示されたように、「Ｉ」字形がおむつ２０に付与される。
【００３９】
製造及び包装の簡略化のために、おむつ２０を着用者の身体上に適用するときの使用のためにシャーシ耳部１０６及び／又は１０８を展開されることをユーザーが望むまで、それらが横方向内側に折り畳まれたままであることが好ましい。この目的のために、図１に示されたように、各シャーシ耳部の１つの縁部は、取り付けの脆弱線９１により画定されてもよく、それに沿ってシャーシ耳部は展開のために、即ち横方向外側に広げるために、部分的に切り離されることができる。こうした取り付けの脆弱線は１つの層又は複数の層の積層体の中に、ミシン目により、圧力が加えられたときに材料が優先的に破砕する脆性区域（単数又は複数）の形成により、圧力が加えられたときに材料が優先的に裂けるより弱い区域（単数又は複数）の形成により、圧力が加えられた及び／又は湾曲したときに材料が優先的に崩壊する脆い区域（単数又は複数）の形成により、又は関与した材料に好適な壊れやすさを提供するいずれかの他の方法により、形成されてもよい。
【００４０】
あるいは、図２に示されるように、各シャーシ耳部の１つの縁部は、シャーシ耳部が、隣接したサイドフラップ１４７から切断される切断線９２により画定されてもよい。この切断線の形成により、シャーシ耳部が時期尚早に広げられる場合があるため、シャーシ耳部は、解放され、隣接したサイドフラップを越えて横方向外側に突き出すように横方向外側に広げられることにより展開されるまで、解放可能な取り付け部材９４により横方向内側に折り畳まれて保持されてもよい。図４に示されるように、解放可能な取り付け部材９４は、シャーシ耳部上に配置された解放可能な取り付け要素９５と、それが横方向内側に折り畳まれているとき、シャーシ耳部の下にある内面上に配置された補完的な解放可能な取り付け要素９６とを包含してもよい。あるいは、シャーシ耳部、又は下部の内面のいずれかの上に配置される、単一の取り付け部材が、他の表面の材料に解放可能に係合してもよく、これによって、必須ではない別個の補完的な取り付け部材を作製し、例えば、フック部材が不織布材料に解放可能に係合してもよい。シャーシ耳部が時期尚早に不注意に展開されないことの追加保証が望まれる場合には、こうした解放可能な取り付け部材９４がまた、取り付けの脆弱線９１によって画定されるシャーシ耳部と組み合わせて使用されてもよい。
【００４１】
図に示されるように、各伸縮性ウエストバンドは、シャーシ１００の各腰縁部に隣接して配置される、周囲方向に延びる長手方向末端縁、及び伸縮性ウエストバンドの長手方向末端縁が配置されるよりも、横方向軸４４の相対的に近くに配置される、長手方向に対向する周囲方向に延びる長手方向近位縁を有する。各伸縮性バンドはまた、横方向に対向する長手方向に延びる側縁部、内面、及び外面も有する。
【００４２】
例えば、図５に示される後側内側伸縮性ウエストバンド３９０は、周囲方向に延びる長手方向末端縁３９１、長手方向に対向する周囲方向に延びる長手方向近位縁３９２、及び横方向に対向する長手方向に延びる側縁部３９３を有する。この後部内側伸縮性ウエストバンド３９０の、内面３９４及び外面３９５が図７において特定される。同様に、図６で示される後側外側伸縮性ウエストバンド３８０は、長手方向の末端縁３８１、長手方向に対向する近位縁３８２、横方向に対向する側縁部３８３、内面３８４、及び外面３８５を有する。別の例として、図２４に示される前側内側伸縮性ウエストバンド３７０は、長手方向末端縁３７１、長手方向に対向する近位縁３７２、及び横方向に対向する側縁部３７３を有する。
【００４３】
図に示される各伸縮性ウエストバンドは、対のシャーシ耳部それぞれの一部を覆い、これらの間に連続的に延びるような、周囲方向の範囲を有する。例えば、図５に示される後側内側伸縮性ウエストバンド３９０は、後側シャーシ耳部１０８それぞれの、大部分を覆い、これらのシャーシ耳部１０８の間の後側ウエスト領域３８を横断して延びる。特に、後側内側ウエストバンド１０８の側縁部３９３は、シャーシ耳部１０８のヘム１７０に隣接して横方向内側に位置する。
【００４４】
いくつかの実施形態では、伸縮性ウエストバンドは、図に示される伸縮性ウエストバンドよりも、相対的により大きいか、又はより小さい周囲方向の範囲を有してもよい。例えば、伸縮性ウエストバンドの側縁部は、図５に示される締結具１２０などの、シャーシ耳部上に配置される任意の締結具の横方向内側に位置してもよい。別の例として、伸縮性ウエストバンドの側縁部は、図に示されるよりも、相対的により遠位に位置してもよく、その結果、シャーシ耳部の実質的な全体横方向範囲を覆う。
【００４５】
内側伸縮性ウエストバンドの内面は、おむつ２０が着用された際に、着用者の皮膚に接触する。したがって、内面を形成する層は、好ましくは着用者の皮膚を刺激しない柔軟な材料から形成される。レーヨン、及びスパンボンドされた若しくは毛羽立てられたポリプロピレン、ポリエチレン、若しくはポリエステル、又は他のオレフィン性材料などの合成不織布など、多くの好適な材料が当該技術分野において周知である。
【００４６】
伸縮性ウエストバンドは、積層構造を有してもよい。特に、伸縮性ウエストバンドは、内側層、及び内側層の外側に配置される、追加の層（単数又は複数）を含んでもよい。多大な弾性特性を呈する不織布など、前述の好適な材料の１つの、弾性的な種類のものが、任意の層に使用され得る。例えば、積層構造を有する前側内側伸縮性ウエストバンド３７０が図２５に使用される。この伸縮性ウエストバンドは、内側皮膚接触層８２、及び内側層８２に積層される弾性層８３の両方を含む。弾性層８３に好適な材料は、当該技術分野において周知であり、天然ゴムストランド、合成ゴムストランド、エラストマーフィルムなどを含む。弾性層８３に選択される材料は、好ましくは、その伸長に比例した力応答を呈する。図２５に示されるように、伸縮性ウエストバンドはまた、弾性層８３の、内側層８２と反対側のその表面上に積層される外側被覆層８４も含み、これによって、弾性層８３が内側層８２及び外側被覆層８４に挟持される、三重積層体を形成する。
【００４７】
伸縮性ウエストバンドの層は、共に取り付けられる要素、及びこれらの構成要素材料に好適な、任意の方法によって積層されてよい。例えば、弾性層８３は、弛緩した内側層８２（及び、存在する場合は、弛緩した外側被覆層８４）に取り付けられる間、伸張した状態に維持され、その後弛緩させてよい。弾性層８３の得られた収縮は、皺をつくるようにして内側層８２にギャザーを寄せてもよく、このように形成された積層体は、元の伸張の方向に、内側層８２（及び存在する場合は外側被覆層８４）の元の寸法まで延びてもよく、弾性層８３のみが伸張に抵抗する。同様の結果が、例えば、最初にひだ付けなどによって内側層８２（及び存在する場合は外側被覆層８４）にギャザーを寄せ、次に弛緩した状態で弾性層８３を取り付けることによって、達成されてもよい。得られた積層体は、ひだの隆起部と垂直な方向に、内側層８２（及び、存在する場合は、外側被覆層８４）の元の寸法まで延ばされてもよく、弾性層８３のみが伸張に抵抗する。
【００４８】
いくつかの代表的な方法では、積層は、弾性層８３及び内側層８２（あるいは、存在する場合は外側被覆層８４）の両方が弛緩した状態で行われてもよい。得られた積層伸縮性ウエストバンドの全部又は一部は、続いて、これを伸長にかけて内側層８２の一部８５ａ（及び、存在する場合は外側被服層８４の一部８５ｃ）に局部的な破裂部をつくることによって「活性化」されてもよい。図２６では、このような活性化された部分８５を有する、図２５の前側内側伸縮性ウエストバンド３７０が、伸長した状態で示される。内側層８２の破裂部分８５ａ、及び外側被覆層８４の破裂部分８５ｃが、不織布材料の繊維の典型的な破断及び／又は分離を表す、破線に示されている。積層体の、得られた活性化部分８５の、内側層８２の破裂した部分８５ａ（及び、存在する場合は外側被覆層８４の破裂部分８５ｃ）は、元の伸長の方向において、ほとんど、又は全く伸張に抵抗をもたらさない。例えば、不織布が内側層８２（及び、存在する場合は外側被覆層８４）に使用される場合、破裂部分は、典型的には繊維の破断及び／又は分離を含み、これは破裂部分が、不織布の平面内で張力を伝達することを、実質的に不可能にする。いくつかの好適な活性化方法は、「リングロール」処理として、当該技術分野において既知である。
【００４９】
伸縮性ウエストバンドは、その区域の全体を通じて均一な延伸特性を有してもよく、又は、異なる部分において異なる延伸特性を有してもよい。例えば、伸縮性ウエストバンドの一部は、着用者上の望ましいフィットが達成され得るように、隣接する部分の最大伸張性よりも大きな最大伸張性まで、横方向に伸長可能にされてもよい。伸張性の違いは、積層方法を変化させる、例えば、活性化処理における局部伸長を変化させることによってもたらされ得る。
【００５０】
おむつ２０の部分は、多くの周知の方法により、共に締結されて着用者のウエスト及び脚を取り囲むことができる。例えば、この目的のために、安全ピン、別々なテープ、別々なタイストラップ（単数又は複数）、及び／又は別々なベルトなど、別々な締結具を使用することができる。あるいは、又は加えて、締結要素がシャーシ１００に組み込まれて、いずれかの分離した締結装置もなく、又は同装置と共に、ユーザーがおむつ２０を着用者の身体に適用できるようにすることができる。多くの好適な種類のかかる組み込まれた締結要素は周知であり、例えば、テープ、接着剤、接着テープタブ、タイ、ボタン、フック、ループ、スナップファスナ、他の形態の機械的締結具、貼着性パッチなどが挙げられる。使用のために構成されるとき、これらの組み込まれた締結要素は、横方向に、若しくは長手方向に外側に突き出してもよく、又はそれらはおむつ２０の縁部内側に完全に位置してもよい。
【００５１】
例えば、横方向に対向する締結要素は、シャーシ耳部に取り付けられてよい。図に示される締結要素１２０は、後側シャーシ耳部１０８の上に配置され、後側ウエスト領域３８を前側ウエスト領域３６に後ろから前（back-over-front）方式で締結するために使用されてもよい。あるいは、同様な締結要素が、前側シャーシ耳部１０６の上に配置され、及び前側ウエスト領域３６を後側ウエスト領域３８に前から後ろ（front-over-back）方式で締結するために使用されてもよい。更に別の代替物として、同様な締結要素が、ウエスト領域から延びるシャーシ耳部を持たないウエスト領域の上に配置されてもよく、そのウエスト領域を、対向するウエスト領域から延びるシャーシ耳部に取り付けるために使用されてもよい。
【００５２】
図５及び図６に示される締結要素１２０は、テープの形態で、シャーシ耳部１０８から横方向外側に突き出る。こうしたテープは接着剤によりコーティングされてよい。表面へのそれらの時期尚早な接着を防ぐために、こうした接着テープ締結要素は典型的には、接着剤の暴露を防ぐために折り畳まれており、後で使用のために接着剤を暴露するために広げられる。例えば、図３では、両方の締結要素１２０が折り畳まれているのが示されている一方で、図５、図６、及び図７では、左の締結要素１２０ａが折り畳まれたままで示され、右の締結要素１２０ｂが広げられ、それによって使用のために構成されているのが示されている。
【００５３】
所望により、米国特許出願公開第２００５／０１７１４９９（Ａ１）号に記載されるように、締結シート（図示されない）は、シャーシ１００の外面１０４上に取り付けられてもよい。締結シートが提供された場合、接着剤締結要素が、締結シートに接着され、後側ウエスト領域３８及び前側ウエスト領域３６を共に締結するか、又は機械的締結要素が同じ目的でこれと係合してもよい。例えば、相対的に安価で、かつ相対的に弱い材料をバックシート２６に使用するのを可能にするために、こうした締結シートの組み込みは望ましい場合がある。
【００５４】
米国特許出願公開第２００５／０１７１４９９（Ａ１）号に記載されるものなどの、補完的な締結要素が、同様に使用されてもよい。例えば、図１１、図１２、図１３、及び図１４に示されるように、後部締結要素１２０が後部シャーシ耳部１０８上に配置されてもよく、補完的な前側締結要素１１０が前側ウエスト領域３６上に配置されてもよい。好適な補完的な締結要素は、貼着性締結パッチ、フック・アンド・ループなどの機械的締結具、又は他の周知の締結要素から形成されてもよい。
【００５５】
あるいは、積層体のバックシートが使用され、外側に配置された不織布と共に配向されるとき、ループと典型的に噛み合うフックのような、特定の噛み合う締結具要素を典型的に必要とする機械的締結具の幾つかの形態が、不織布と係合するように構成され、それによって、特定の噛み合う締結具要素の包含を不必要にしてもよい。例えば、図１５に示されるように、締結要素１２０は、積層体バックシート２６の不織布層３１と係合するように構成されたフック締結パッチにより形成されてもよい。こうしたフック締結要素は、同様に、図１３に示される貼着性締結パッチ締結要素に配置されてもよい。
【００５６】
米国特許出願公開第２００５／０１７１４９９（Ａ１）号に記載されているように、シャーシ１００の一部又は全体、例えばバックシート２６、内部ライナー２２、若しくは両方が、シャーシが製造された材料又は材料類の本来の伸張性より大きい程度まで伸張可能に製造されてもよい。着用者が動いている間、シャーシ１００を着用者の身体にぴったり合わせるために、追加の伸張性が望ましい場合がある。例えば、延伸前に特定の大きさを有するシャーシ１００を包含するおむつ２０のユーザーが、シャーシ１００の前側ウエスト領域３６、後側ウエスト領域３８、又は両方のウエスト領域を伸張させて、ウエストの周りが所定の範囲内にある個々の着用者のウエストを取り囲むようにするために、即ち、おむつを個々の着用者にぴったり合わせるために、追加の伸張性がまた望ましい場合がある。１つのウエスト領域又は複数の領域のこうした延伸は、股領域３７がウエスト領域又は領域類より相対的に少ない程度に伸張されるということであれば、おむつにほぼ砂時計の形を与える場合があり、おむつ２０にそれが着用されたときに、ぴったり合った外観を付与する場合がある。加えて、おむつのコストを最小限に抑えるために、追加の伸張性が望ましい場合がある。例えば、本来ならこの伸張性のない相対的に小さいおむつを製造するためだけに充分である材料の量が、この延びていない、より小さいおむつが適合するよりも大きい着用者に適合するように、延ばされ得るおむつを製造するために使用され得る。換言すれば、記載されるように材料が伸張可能に製造されるとき、着用者の所与のサイズに適切に適合できるおむつを製造するために、より少量の材料が必要とされる。
【００５７】
シャーシ１００の追加の横方向の伸張性は、多様な方法で提供されてもよい。例えば、シャーシ１００が製造される１つの材料又は複数の材料に、多くの既知の方法のいずれかによりひだを付けてもよい。あるいは、シャーシの全部又は一部が、米国特許第５，５１８，８０１号に記載されるもののような、形成されたウェブ材料、又は形成されたウェブ材料の積層体から作製されてもよい。こうした形成ウェブ材料３０５の代表的な断片３００は図１７に示されている。この形成ウェブ材料３０５は、横方向に延びる別個の領域３１０を包含しており、ここで元の材料は、エンボス加工又は別の変形方法によって改変され、ほぼ長手方向に配向した交互の隆起部分３１２及び谷部分３１４のパターンをウェブの中に作り出す。形成ウェブ材３０５はまた、横方向に延びる変性領域３１０の間に位置した、横方向に延びる非変性領域３１６を包含する。形成されたウェブ材料は、隆起部に垂直な方向に、この点を越えて延びるのに必要な力より実質的に少ない力で、隆起部及び谷部が平らになる点まで延ばされることができる。したがって、このような形成された材料は、従来の弾製材と似た、伸張可能な挙動を呈するが、本来弾性ではない相対的に安価な材料から作製されてもよく、したがって、これらの使用は、吸収性物品の製造費において利点をもたらし得る。
【００５８】
シャーシ１００の前側横方向中央部分１１７及び／又は後側横方向中央部分１１８は、サイドフラップ１４７がシャーシの内面１０２に取り付けられる取り付けゾーン１５３及び１５４の、シャーシの部分とは異なる伸張性の範囲を有してもよい。加えて又は別の方法では、横方向中央部分１１７及び１１８のいずれか一方、又は両方は、所定レベルの対向する張力を受けるとき、取り付けゾーンにおけるシャーシの一部分より大きいか又は小さい程度まで伸張可能であってもよい、すなわち、より容易に伸張可能でも、又はより伸張し難くてもよい。同様に、シャーシの横方向中央部分における変化領域を取り付けゾーンにおける変化領域より大きい程度か又は小さい程度まで変形させて、横方向中央部分を、取り付けゾーンにおける各部分より容易に伸張可能にするか、又はより容易に伸張し難くしてもよい。
【００５９】
伸縮性ウエストバンドの下部のシャーシ１００の部分は、シャーシの隣接する部分の最大伸張性よりも大きな最大伸張性まで伸張可能にされてもよく、その結果、各部分の最大伸張までの横方向の伸張は、ウエスト領域を着用者のウエストに適切に適合させることにより、着用者の身体へのおむつ２０の適用を促進する。特に、伸縮性ウエストバンドの下部に位置し、及び／又はこれに隣接する区域は、シャーシの他の領域よりも高伸張性にされ、伸縮性ウエストバンドの伸張性の許容範囲を最大化してもよい。
【００６０】
図１９、図２０、図２１、及び図２２に示されるように、吸収性アセンブリ２００は吸収性コア２５０を包含する。吸収性コア２５０は、横方向に延びる前縁部２５６、長手方向に対向する後縁部２５８、左側縁部２５７ａ、横方向に対向する右側縁部２５７ｂを有する。吸収性コア２５０の縁部のいずれか又はすべてが、吸収性アセンブリ２００のそれぞれの縁部の内側に位置してもよいし、又はそれぞれの縁部に一致してもよい。例えば、図１９に示される代表的な吸収性アセンブリ２００では、吸収性コア２５０の前縁部２５６及び後縁部２５８が吸収性アセンブリ２００の前縁部２３６及び後縁部２３８のそれぞれに一致する一方で、吸収性コア２５０の側縁部２５７は、吸収性アセンブリ２００の側縁部２３７の横方向内側に位置している。
【００６１】
吸収性アセンブリ２００は、吸収性アセンブリ２００の区域のいずれかの部分又は全体にわたってシャーシ１００に取り付けられてもよい。好ましくは、吸収性アセンブリ２００は、十字形の取り付けパターンで、即ち、十字若しくは「＋」形を形成するか又はそのように配置された取り付けパターンで、その外面２０４上でシャーシ１００に取り付けられる。十字形の取り付けパターンは、連続していてもよく、即ちその部分のすべてが切れ目のないひと続きのもので、パターン全体を通して接触するか又は接続されていてもよい。あるいは、十字形の取り付けパターンが、分離した部分を含み、それによって連続性は欠けるが、それでも全体的なパターンの形が十字形であるように配置されていてもよい。例えば、不連続な十字形の取り付けパターンは、長手方向軸に沿って配置された、長手方向に延びる部分と、横方向軸に沿って又は隣接して配置された、左及び右の別個の横方向遠位部分とを包含し、それによって全体的なパターンの形として十字形を形成してもよい。十字型取り付けパターン２１０の範囲内において、吸収性アセンブリ２００は、シャーシ１００に、例えば、点、縞、ビーズ、螺旋などの形状で、連続的に、又は断続的に取り付けられてもよい。
【００６２】
代表的な連続的十字形取り付けパターン２１０は、図１８、図１９、図２０、図２１、及び図２２に示されている。こうした十字形の取り付けパターンの外側に位置するシャーシ１００の部分１９０は、吸収性アセンブリ２００への取り付けによって拘束されず、それ故に、伸張可能なままである。特に、図１８、図１９、及び図２１に示されるような十字形取り付けパターン２１０の相対的に狭い長手方向に延びる部分２１２は、前側ウエスト領域３６及び後側ウエスト領域３８におけるシャーシ１００の幅の大部分を自由に伸張可能なままにし、それによってこれらの領域におけるシャーシ１００を横方向に伸張させる。図１８、図１９、図２０、及び図２２に示されるような十字形の取り付けパターン２１０の、相対的に幅の広い横方向に延びる部分２１４は、吸収性アセンブリ２００が取り付けられた、股領域３７におけるシャーシ１００の部分が、その領域で吸収性アセンブリ２００に対して移動するのを防ぐ。弾性ストランド１６７が近位縁１５７を持ち上げ着用者の身体と接触するとき、十字型の取り付けパターン２１０の相対的に広い横方向に延びる部分２１４はまた、股領域３７を支持し、これによってサイドフラップ１４７が歪み、身体との接触を失うことを防ぐことにより、サイドフラップ１４７の有効性に寄与する。
【００６３】
十字形の取り付けパターン２１０は、シャーシ１００の長手方向軸４２及び横方向軸４４のいずれか又は両方に対して、対称的に又は非対称的に、のいずれかで配置されてもよい。例えば、図１９に示される十字形の取り付けパターン２１０は、長手方向軸４２に対して対称的に、かつ横方向軸４４に対して前側ウエスト領域３６に向かって非対称的にオフセットされて配置される。それに加えて、十字形の取り付けパターン２１０は、吸収性アセンブリ２００の側縁部２３７並びに、前側縁部２３６及び後側縁部２３８の一方又は両方に対して対称的に、又は非対称的に配置してもよい。十字形の取り付けパターンの好適な構成は、米国特許第６，９６２，５７８号に開示されている。
【００６４】
吸収性コア２５０は、シャーシの内面１０２と向かい合わせの配置で吸収性コア２５０の外面上に配置された下部カバーシートと、吸収性コア２５０の内面上に配置された上部カバーシートとの間に配置されてもよい。こうした上部カバーシート及び下部カバーシートは、共に取り付けられて、それらの間に吸収性コア２５０を含有し、それによって吸収性アセンブリ２００を形成してもよい。例えば、図に示される代表的な吸収性アセンブリ２００において、上部カバーシート２４及び下部カバーシート２５は、接着剤取り付けゾーン２９の中の吸収性アセンブリ２００の側縁２３７のところで、又はそれらに隣接して、共に取り付けられる。あるいは、上部カバーシート２４及び下部カバーシート２５は、吸収性アセンブリ２００の側縁部２３７以外の場所で、例えば、端縁部２３６及び２３８のところで、若しくはそれらに隣接して、又は端縁部２３６及び２３８の両方及び側縁部２３７のところで、若しくはそれらに隣接して、共に取り付けられてもよい。
【００６５】
上部カバーシート２４は透水性であって、液体排泄物を吸収性コア２５０まで通過させ、そこでは液体排泄物が吸収される。下部カバーシート２５は、不透水性であってもよいが、好ましくは透水性である。上部カバーシート２４は、着用者の身体に接触して配置されることを意図する吸収性アセンブリ２００の内面２０２を形成してもよく、したがって、好ましくは、着用者の皮膚を刺激しない柔軟な材料から形成される。透水性カバーシートとして好適な多くの材料が当該技術分野において周知であり、合成不織布、例えばスパンボンドされた若しくは毛羽立てられたポリプロピレン、ポリエステル、又はレーヨンが挙げられる。
【００６６】
吸収性コアは、１つ以上の蓄積構成要素に加えて、捕捉構成要素を包含してもよい。吸収性コア捕捉構成要素は、付着した液状体外排泄物を捕捉して、これを吸収性コア蓄積構成要素に移行させる働きをする。捕捉構成要素のための好ましい材料としては、合成繊維材料、開放気泡ポリマーフォーム材、繊維性不織布材、セルロース系不織布材、並びに様々な組み合わせの合成／セルロース系不織布材が挙げられる。こうした捕捉材料の例は、米国特許第４，９５０，２６４号に更に完全に記載されている。捕捉構成要素２９０を包含するこうした吸収性コア２５０は、吸収性コア蓄積構成要素２７２の上に位置して図２２に示されている。例えばティッシュ又は不織布材料の分離シート２９２は、吸収性コア蓄積構成要素２７２と吸収性コア捕捉構成要素２９０との間に配置されて、吸収性コア蓄積構成要素内に包含されてもよい超吸収性ポリマーによって形成されたゲルが、着用者の皮膚に全く到達しないことを確実にするのに役立つ。
【００６７】
吸収性コアとして好適な周知の吸収性材料には、「エアフェルト」として一般に既知である粉砕木材パルプの形態のセルロース繊維、天然若しくは合成の繊維性材料の層又はシート、超吸収性ポリマーなどが挙げられる。これらの吸収性材料は、別個に又は組み合わせて使用されてもよく、多くは不連続な形態で、即ち繊維、顆粒、粒子、層などの形態で使用されてもよい。
【００６８】
吸収性材料の不連続な形態は、ホットメルト接着剤のような熱可塑性材料の層により形成されたポケットにおいて不動化されてもよく、熱可塑性材料の層はカバーシートのような基材に断続的に接触し、接着するものの、このポケットのところで基材から分離する。こうしたポケット構造体を有する吸収アセンブリは、米国特許出願公開第２００４／０１６７４８６号、及び同第２００４／０１６２５３６号に詳細に記載されている。こうした構造体を有する代表的な吸収性アセンブリ２００が図２３に示されている。この吸収アセンブリ２００では、吸収性コア２５０は、熱可塑性材料の層２７５により形成されたポケット２８０の内部に含有される超吸収性ポリマーの粒子２７０を包含する。この吸収性コア２５０はセルロース繊維を含有しない。あるいは、吸収性コア２５０は超吸収性ポリマーの粒子及びエアフェルトの両方を包含してもよく、両材料はポケット内部に収容されてもよい。図２３に示されるように、熱可塑性材料の層２７５は、取り付け領域２８２で下部カバーシート２５に断続的に接触し、接着する。取り付け領域２８２の間で、層２７５は、下部カバーシート２５から分離して、ポケット２８０を形成する。層２７５は熱可塑性材料の繊維のシートの形態を有してもよく、そこを通って超吸収性ポリマーの粒子２７０まで液体排泄物が通過して、吸収されてもよい。図２３では、別個の上部カバーシート２４が熱可塑性材料の層２７５の上に位置して示されている。あるいは、別個の上部カバーシート２４は省かれてもよく、繊維性シートの形態の層２７５が上部カバーシート２４として役立てられてもよい。
【００６９】
すべての特許、特許出願、及びそれに基づいて発行されたいかなる特許、並びに関連して発行されたいかなる外国特許出願、並びに本明細書において列挙及び／又は参照したすべての刊行物の開示内容も、その全体が参考として本明細書に組み込まれる。参考として本明細書に組み込まれた文献のいずれか又は文献のいかなる組み合わせも、本発明を教示又は開示するとは明らかに認められない。用語の定義において何らかの不一致がある場合、本記載における使用がいずれの組み込まれた参考文献の中での相反する使用にも優先する。
【００７０】
本発明の特別な実施形態を図示し、記載したが、本発明の趣旨及び範囲から逸脱することなくその他の様々な変更及び修正を実施できることは当業者には自明であろう。したがって、本発明の範囲内にあるそのようなすべての変更及び修正を、添付の特許請求の範囲で扱うものとする。
【図１】
2010521248.tif 000003
【図２】
2010521248.tif 000004
【図３】
2010521248.tif 000005
【図４】
2010521248.tif 000006
【図５】
2010521248.tif 000007
【図６】
2010521248.tif 000008
【図７】
2010521248.tif 000009
【図８】
2010521248.tif 000010
【図９】
2010521248.tif 000011
【図１０】
2010521248.tif 000012
【図１１】
2010521248.tif 000013
【図１２】
2010521248.tif 000014
【図１３】
2010521248.tif 000015
【図１４】
2010521248.tif 000016
【図１５】
2010521248.tif 000017
【図１６】
2010521248.tif 000018
【図１７】
2010521248.tif 000019
【図１８】
2010521248.tif 000020
【図１９】
2010521248.tif 000021
【図２０】
2010521248.tif 000022
【図２１】
2010521248.tif 000023
【図２２】
2010521248.tif 000024
【図２３】
2010521248.tif 000025
【図２４】
2010521248.tif 000026
【図２５】
2010521248.tif 000027
【図２６】
2010521248.tif 000028
【国際調査報告】
2010521248.tif 000029
2010521248.tif 000030